(57)【要約】【課題】  本発明はいわゆるブリスター容器と称せられる包装容器に関し、部品点数の削減及び製造工程の簡単化等を図ることを課題とする。【解決手段】  化粧品を収納する容器本体部１３とこの容器本体部１３を覆う蓋体部１４とを有する容器部１１と、この容器部１１を保持する基板部１２とを設けてなり、容器本体部１３と蓋体部１４で基板部１２を挟持することにより、容器部１１を基板部１２に保持する構成とする。【選択図】  図１
2005247363.tif 000002
【特許請求の範囲】
【請求項１】
被包装物を収納する容器本体部と該容器本体部を覆う蓋体部とを有する容器部と、
前記容器部を保持する基板部とを設けてなり、
前記容器本体部と前記蓋体部で前記基板部を挟持することにより、前記容器部を基板部に保持する構成としたことを特徴とする包装容器。
【請求項２】
請求項１記載の包装容器において、
前記基板部に前記容器本体部が挿入される開口部を形成したことを特徴とする包装容器。
【請求項３】
請求項１または２記載の包装容器において、
前記容器本体部及び前記蓋体部の外周に、前記保持状態において前記基板部と当接する鍔部を形成したことを特徴とする包装容器。
【請求項４】
請求項１乃至３のいずれか１項に記載の包装容器において、
前記容器本体部または前記蓋体部の少なくとも一方に、前記容器本体部に対し前記蓋体部を開蓋する際に把持される操作ノブを形成し、
該操作ノブが前記基板部の外側に延出するよう構成したことを特徴とする包装容器。
【発明の詳細な説明】
【技術分野】
【０００１】
本発明は包装容器に係り、特にいわゆるブリスター容器と称せられる包装容器に関する。
【背景技術】
【０００２】
従来から、包装容器としてブリスター容器が知られている。ブリスター容器は、透明樹脂からなる容器部と、この容器部を固定する台紙（基板部）とにより構成されており、歯ブラシ，乾電池等の各種の被包装物の容器として多用されている。（例えば、特許文献１参照）。
【０００３】
このブリスター容器は、外部から包装されている包装容器が見えるため展示効果が良好であるため、店頭に陳列した場合に顧客の被包装物に対する購買意欲を増進させる効果を望むことができる。このため昨今では、ブリスター容器を化粧品の包装容器として多用されるようになってきている。
【０００４】
図７及び図８は、特許文献１に開示されている一般的なブリスター容器１（包装容器）を示している。このブリスター容器１は、電池４を被包装物としている。図７に示されるように、ブリスター容器１は、大略するとブリスター部２と台紙３とにより構成されている。
【０００５】
ブリスター部２は透明樹脂よりなり、電池４を収納するための収納部５と、台紙３に固定するための鍔部６が形成されている。また、台紙３は紙よりなり、その表面に商品名等の印刷が行なわれると共に、その表面には合成樹脂膜が形成されている。そして、収納部５に電池４を装着した上で、加熱ツールを用いてブリスター部２の鍔部６を台紙３に形成されている合成樹脂膜に熱溶着することによりブリスター部２は台紙３に固定され、図８に示されるように電池４はブリスター容器１に包装される。
【０００６】
また、この構成とされたブリスター容器１では、ブリスター部２と台紙３との熱溶着部分の固定力が強く電池４をブリスター容器１から取り出すのが面倒であるという問題点がある。このため、例えば特許文献２に開示されたような、ブリスター部に対して台紙をスライド装着可能な構成とし、これにより被包装物の取り出し性を向上させたブリスター容器も提案されている。
【特許文献１】特開２００２−１２８１４０号公報
【特許文献２】特開２００１−０９７４４５号公報
【発明の開示】
【発明が解決しようとする課題】
【０００７】
しかしながら、特許文献１に開示されたブリスター容器１は、ブリスター部２を台紙３に固定するために、台紙３の表面に合成樹脂膜を形成する必要があり、かつブリスター部２を台紙３に固定するための熱溶着処理を行なう必要があるため、ブリスター容器１の製造工程が複雑で製品コストが上昇してしまうという問題点があった。また、ブリスター部２と台紙３との材質が異なることにより、ブリスター容器１を廃棄する場合には、ブリスター部２と台紙３を分別して廃棄する必要があり、廃棄処理が面倒であるという問題点もあった。
【０００８】
一方、特許文献２に開示されたブリスター容器は、ブリスター部と台紙との間にずれが発生するおそれがある。このため、特許文献２に開示されたブリスター容器では、ブリスター部と台紙を位置決め固定する構成を別個設ける必要があり、部品点数及び製造工程が増加し、やはり製品コストが上昇してしまうという問題点が発生する。
【０００９】
本発明は上記の点に鑑みてなされたものであり、部品点数の削減、製造工程の簡単化等を図り得る包装容器を提供することを目的とする。
【課題を解決するための手段】
【００１０】
上記の課題を解決するために本発明では、次に述べる各手段を講じたことを特徴とするものである。
【００１１】
請求項１記載の発明は、
被包装物を収納する容器本体部と該容器本体部を覆う蓋体部とを有する容器部と、
前記容器部を保持する基板部とを設けてなり、
前記容器本体部と前記蓋体部で前記基板部を挟持することにより、前記容器部を基板部に保持する構成としたことを特徴とするものである。
【００１２】
上記発明によれば、容器本体部と蓋体部で基板部を挟持することにより容器部を基板部に保持するため、接着剤を用いたり熱溶着を行なったりすることなく容器部を基板部に保持させることができる。これにより、容器部を基板部に配設する処理を容易かつ安価に行なうことができる。
【００１３】
また、従来と異なり熱溶着や接着剤を考慮することなく容器部及び基板部の材質を任意に選定することが可能となり、かつ熱溶着を用いていないため接着剤や容器部の一部が基板部に残存することもないため、包装容器を廃棄する場合に容器部と基板部とを分別して廃棄することが可能とる。
【００１４】
また、請求項２記載の発明は、
請求項１記載の包装容器において、
前記基板部に前記容器本体部が挿入される開口部を形成したことを特徴とするものである。
【００１５】
上記発明によれば、基板部に容器本体部が挿入される開口部が形成されているため、蓋体部が開蓋した状態で容器本体部を開口部に挿入し、この状態で蓋体部を閉蓋することにより基板部は容器本体部と蓋体部の間で挟持され、容器部は基板部に保持される。よって、簡単な処理で、容器部を基板部に保持させることができる。
【００１６】
また、請求項３記載の発明は、
請求項１または２記載の包装容器において、
前記容器本体部及び前記蓋体部の外周に、前記保持状態において前記基板部と当接する鍔部を形成したことを特徴とするものである。
【００１７】
上記発明によれば、容器本体部及び蓋体部の外周に鍔部を形成し、この鍔部が保持状態において基板部と当接する構成としたことにより、容器本体部及び蓋体部と基板部との当接面積を広げることができ、安定した状態で容器部を基板部に保持させることができる。
【００１８】
また、請求項４記載の発明は、
請求項１乃至３のいずれか１項に記載の包装容器において、
前記容器本体部または前記蓋体部の少なくとも一方に、前記容器本体部に対し前記蓋体部を開蓋する際に把持される操作ノブを形成し、
該操作ノブが前記基板部の外側に延出するよう構成したことを特徴とするものである。
【００１９】
上記発明によれば、容器本体部または蓋体部の少なくとも一方に基板部の外側に延出する操作ノブを形成したことにより、操作ノブを操作することにより基板部に保持させた状態の容器部を容易に開くことができる。
【発明の効果】
【００２０】
上述の如く本発明によれば、容器本体部と蓋体部で基板部を挟持することにより容器部を基板部に保持するため、接着剤を用いたり熱溶着を行なったりすることなく容器部を基板部に保持させることができ、これにより容器部を基板部に配設する処理を容易かつ安価に行なうことが可能となる。
【発明を実施するための最良の形態】
【００２１】
次に、本発明を実施するための最良の形態について図面と共に説明する。
【００２２】
図１は、本発明の一実施例である包装容器１０を示している。この包装容器１０はいわゆるブリスター容器（以下、ブリスター容器１０という）であり、本実施例では化粧品（具体的には、コンパクト用のレフィル）を被包装物としたものを例に挙げて説明するものとする。尚、本発明に係るブリスター容器１０の適用は、化粧品に限定されるものではなく、他の商品についても広く適用できるものである。
【００２３】
ブリスター容器１０は、大略すると容器部１１と基板部１２とにより構成されている。図２は容器部１１を示しており、図２は基板部１２を示している。
【００２４】
図１及び図２に示すように、容器部１１は、容器本体部１３、蓋体部１４、及びヒンジ部１５とにより構成されている。この容器部１１は、透視可能な樹脂により一体成形されている。具体的な容器部１１の材質としては、ポリエチレンテレフタレート（ＰＥＴ），ポリプロピレン（ＰＰ），ポリオレフィン（ＰＯ）等を用いることができる。また、容器部１１の形成方法としては、例えば真空成形，真空圧空成形，熱板圧空成形等の成形方法を用いることができる。
【００２５】
容器本体部１３は化粧品が装着される部位であり、凸状部１６Ａ，１６Ｂ、収納部１７、係止用突起部２０Ａ〜２０Ｄ、本体側鍔部２１、及び操作ノブ２２等が一体的に形成されている。凸状部１６Ａ，１６Ｂは収納部１７に対して突出するよう、かつ互いが対向するよう形成されている。この凸状部１６Ａは図２（Ａ）に示すように平面視した状態で逆コ字形状を有しており、凸状部１６Ｂは凸状部１６Ａと対称的なコ字形状とされている。
【００２６】
よって、凸状部１６Ａと凸状部１６Ｂとの間には相対的に窪んだ凹部が形成され、この部分は化粧品が収納される収納部１７となる。この収納部１７には、収納部１７の剛性を高めるため、一対の窪んだ形状のリブ１９Ａ，１９Ｂが形成されている。
【００２７】
また、凸状部１６Ａ，１６Ｂは、両方を合わせて平面視した場合、図２（Ａ）に示すように略矩形状となるが、その各外側四隅位置には、係止用突起部２０Ａ〜２０Ｄが外側に向け突出するよう形成されている。また、一対の凸状部１６Ａ，１６Ｂが接する部分（図２（Ａ）における上下位置）には夫々Ｕ字状凹部１８が形成されている。この一対のＵ字状凹部１８は、容器本体部１３から装着された化粧品を取り出す際に化粧料を指で把持するためのものである。このＵ字状凹部１８を設けることにより、容器本体部１３から化粧品を簡単に取り出すことができる。
【００２８】
また、一対の凸状部１６Ａ，１６Ｂの外周位置には、本体側鍔部２１が形成されている。この本体側鍔部２１は、一対の凸状部１６Ａ，１６Ｂの全外周を囲繞するよう形成されている。また、この本体側鍔部２１の幅寸法（幅狭の部分を除く平均幅寸法。例えば、図中矢印Ｘで示す寸法）は、一般的なレフィル容器に形成されている鍔部の幅寸法より広く設定されている。具体的には、一般的なレフィル容器の鍔部の幅寸法が約２〜３ｍｍであるのに対し、本実施例では本体側鍔部２１の幅寸法Ｘを５〜６ｍｍに設定している。
【００２９】
更に、本体側鍔部２１のヒンジ部１５の形成位置と反対位置には、操作ノブ２２が形成されている。本実施例では、操作ノブ２２を容器本体部１３に形成しているが、操作ノブ２２を後述する蓋体部１４に形成することも可能である。この操作ノブ２２は、容器本体部１３に対して蓋体部１４を開蓋する際に操作者の指で把持されるものである。この操作ノブ２２は、本体側鍔部２１よりも更に外側に延出するよう形成されている。
【００３０】
上記構成とされた容器本体部１３は、ヒンジ部１５により蓋体部１４が一体的に接続された構成とされている。この蓋体部１４には、収納凹部２３が一体的に形成されている。この収納凹部２３は、蓋体部１４が容器本体部１３を閉蓋した状態において、一対の凸状部１６Ａ，１６Ｂを完全に覆うよう構成されている。
【００３１】
また、収納凹部２３の四隅位置には係止用凹部２４Ａ〜２４Ｄが形成されている。この係止用凹部２４Ａ〜２４Ｄの形成位置は、凸状部１６Ａ，１６Ｂに形成されている係止用突起部２０Ａ〜２０Ｄの形成位置と対応するよう構成されている。そして、蓋体部１４が容器本体部１３を閉蓋した状態において、係止用突起部２０Ａ〜２０Ｄと係止用凹部２４Ａ〜２４Ｄとが係合するよう構成されている。このように、係止用突起部２０Ａ〜２０Ｄと係止用凹部２４Ａ〜２４Ｄとが係合することにより、蓋体部１４は容器本体部１３に閉蓋した状態で係止される。
【００３２】
また、収納凹部２３の図２（Ａ）における下位置には、内側に向け突出する押さえ部２５Ａ，２５Ｂが形成されている。この押さえ部２５Ａ，２５Ｂは、蓋体部１４が閉蓋された状態で容器本体部１３に装着されている化粧品と当接してこれを押圧するよう構成されている。これにより、収納された化粧品が容器部１１内で移動するのを防止することができる。
【００３３】
更に、蓋体部１４には蓋体側鍔部２６が形成されている。この蓋体側鍔部２６は、収納凹部２３の全外周を囲繞するように形成されている。この蓋体側鍔部２６の幅寸法（幅狭の部分を除く平均幅寸法）は、先に説明した本体側鍔部２１と同様の幅寸法とされている。即ち、蓋体側鍔部２６の幅寸法は、一般的なレフィル容器に形成されている鍔部の幅寸法より広い約５〜６ｍｍに設定されている。
【００３４】
ここで、容器本体部１３と蓋体部１４とのヒンジ部１５を介した接続構造に注目する。図２（Ｂ）に示すように、実施例に係る容器部１１は、蓋体部１４を開蓋した状態において、容器本体部１３の本体側鍔部２１と蓋体部１４の蓋体側鍔部２６が同一平面となる構成とされている。このため、蓋体部１４を容器本体部１３に閉蓋した際、本体側鍔部２１と蓋体側鍔部２６は重なり合った状態となる。
【００３５】
また、ヒンジ部１５の幅Ｗは、後述する基板部１２の厚さ（図３（Ｂ）に矢印Ｙで示す）や外周縁部２９の幅寸法等を考慮した幅とされている。具体的には、蓋体部１４を容器本体部１３に閉蓋した際、このヒンジ部１５は折り曲げられるが、その際に折り曲げられたヒンジ部１５内に基板部１２が位置しうる幅に設定されている。
【００３６】
基板部１２は、図３に示すようにシート状の基板本体２７に開口部２８及び吊るし孔３０を形成した構成とされている。基板本体２７は、本実施例では容器部１１と同種の材料（ポリエチレンテレフタレート（ＰＥＴ），ポリプロピレン（ＰＰ），ポリオレフィン（ＰＯ）等）を用いている。尚、基板本体２７の材質は必ずしも容器部１１と一致させて樹脂とする必要はなく、紙や金属材を用いることも可能である。
【００３７】
また、基板本体２７には開口部２８が形成されている。この開口部２８の形状は、容器部１１に形成されている一対の凸状部１６Ａ，１６Ｂを内部に収納（挿入）しうる形状に設定されている。また、基板部１２に開口部２８が形成されることにより、開口部２８の外周部分には外周縁部２９が形成される。更に、基板本体２７の図中上部位置には、吊るし孔３０が形成されている。
【００３８】
続いて、図４乃至図６を参照し、ブリスター容器１０の組み立て方法について説明する。
【００３９】
ブリスター容器１０を組み立てるには、先ず容器部１１を蓋体部１４が容器部１１に対し開蓋した状態とし、この開蓋状態の容器本体部１３の収納部１７に化粧品（図示せず）を装着する。続いて図４に示すように、開口部２８と凸状部１６Ａ，１６Ｂが対向するよう、基板部１２を容器部１１の上部に位置決めする、
次に、容器部１１の凸状部１６Ａ，１６Ｂを基板部１２の開口部２８内に挿入する。図５は、凸状部１６Ａ，１６Ｂを開口部２８内に挿入し基板部１２を容器部１１に装着した状態を示している。この挿入状態において、基板部１２の外周縁部２９は容器本体部１３に形成されている本体側鍔部２１と当接した状態となっている。また、この挿入状態において、容器本体部１３に形成されている操作ノブ２２は、外周縁部２９より外側に延出した状態となっている。
【００４０】
尚、本実施例では、図４に示す基板部１２を容器部１１に装着する前に収納部１７に化粧品を装着する方法を用いた。しかしながら、化粧品を収納部１７に装着するタイミングはこれに限定されものではなく、図５に示すように基板部１２を容器部１１に装着した後に化粧品を収納部１７に装着することとしてもよい。
【００４１】
上記のように基板部１２が容器部１１に装着されると、続いてヒンジ部１５を中心として蓋体部１４を回動させ、蓋体部１４により容器本体部１３を閉蓋する。これにより、蓋体部１４により容器本体部１３は覆われた状態となり、化粧品は容器本体部１３と蓋体部１４との間に外部に対して隔離された状態で収納される。
【００４２】
また、基板部１２を容器本体部１３に装着した状態で蓋体部１４を閉蓋することにより、図６に示されるように、基板部１２は容器本体部１３と蓋体部１４で挟持された状態となる。この際、前記のように容器本体部１３には係止用突起部２０Ａ〜２０Ｄが形成されると共に蓋体部１４には係止用凹部２４Ａ〜２４Ｄが形成されており、蓋体部１４が閉蓋した状態において係止用突起部２０Ａ〜２０Ｄと係止用凹部２４Ａ〜２４Ｄとは係合する。
【００４３】
このため、蓋体部１４は確実に容器本体部１３に係止され、蓋体部１４が容易に開蓋されるようなことはない。よって、容器本体部１３と蓋体部１４による基板部１２の挟持力も強いものとなり、容器部１１を基板12に確実に保持させることができる。
【００４４】
このように本実施例では、容器本体部１３と蓋体部１４とで基板部１２を挟持することにより容器部１１を基板部１２に保持させるため、従来のように接着剤を用いたり熱溶着を行なったりする構成に比べ、容器部１１を基板部１２に取り付ける処理を容易かつ安価に行なうことができる。また、組み立て方法としては、蓋体部１４が開蓋した状態の容器本体部１３に基板部１２の開口部２８を挿入し、この状態で蓋体部１４を閉蓋するだけでよいため、簡単な処理で容器部１１を基板部１２に保持させることができる。
【００４５】
また、本実施例では前記のように容器本体部１３の外周に幅広の本体側鍔部２１を形成すると共に、蓋体部１４の外周にも幅広の蓋体側鍔部２６を形成している。このため、容器部１１と基板部１２との当接面積を広くすることができ、安定した状態で容器部１１を基板部１２に保持させることができる。
【００４６】
また、従来と異なり熱溶着や接着剤を考慮することなく容器部１１及び基板部１２の材質を任意に選定することができ、かつ熱溶着を用いていないため、従来と異なり接着剤や容器部の一部が基板部１２に残存することもないため、ブリスター容器１０の廃棄を容易に行なうことができる。即ち、従来と異なり残存する接着剤や容器部の一部の除去を行なうことなく、廃棄処理を行なうことができる。また、容器部１１と基板部１２との材質を同時廃棄可能なものとすることにより、容器部１１と基板部１２とを一括廃棄することも可能となる。
【００４７】
更に、本実施例に係るブリスター容器１０に収納された化粧品を購入し、このブリスター容器１０から化粧品を取り出す場合には、本実施例では容器本体部１３に基板部１２の外側に延出する操作ノブ２２が形成されているため、この操作ノブ２２を操作することにより容易に蓋体部１４を容器本体部１３から開蓋させることができる。よって、ブリスター容器１０からの化粧品の取り出し操作を容易に行なうことができる。この操作ノブ２２は、本実施例では容器本体部１３に形成したが、蓋体部１４に形成しても、また容器本体部１３と蓋体部１４の双方に形成する構成としてもよい。
【００４８】
尚、本実施例では、容器部１１と基板部１２の材質を同一或いは類似する材質としているため、ブリスター容器１０を廃棄する際、容器部１１と基板部１２とを分離して廃棄する必要がなくなり廃棄時の手間を軽減することができる。
【図面の簡単な説明】
【００４９】
【図１】図１は、本発明の一実施例である包装容器（ブリスター容器）を示す斜視図である。
【図２】図２は、本発明の一実施例である包装容器（ブリスター容器）を構成する容器部を示しており、（Ａ）は正面図、（Ｂ）は側面図である。
【図３】図３は、本発明の一実施例である包装容器（ブリスター容器）を構成する基板を示しており、（Ａ）は正面図、（Ｂ）は側面図である。
【図４】図４は、本発明の一実施例である包装容器（ブリスター容器）の組み立て方法を説明するたの図である（その１）。
【図５】図５は、本発明の一実施例である包装容器（ブリスター容器）の組み立て方法を説明するたの図である（その２）。
【図６】図６は、本発明の一実施例である包装容器（ブリスター容器）の組み立て方法を説明するたの図である（その３）。
【図７】図７は従来の一例であるブリスター容器を示す分解斜視図である。
【図８】図８は従来の一例であるブリスター容器を示す斜視図である。
【符号の説明】
【００５０】
１０  ブリスター容器
１１  容器部
１２  基板部
１３  容器本体部
１４  蓋体部
１５  ヒンジ部
２０Ａ〜２０Ｄ  係止用突起部
２１  本体側鍔部
２２  操作部
２３  収納凹部
２４Ａ〜２４Ｄ  係止用凹部
２６  蓋体側鍔部
２７  基板本体
２８  開口部
２９  外周縁部
【図１】
2005247363.tif 000003
【図２】
2005247363.tif 000004
【図３】
2005247363.tif 000005
【図４】
2005247363.tif 000006
【図５】
2005247363.tif 000007
【図６】
2005247363.tif 000008
【図７】
2005247363.tif 000009
【図８】
2005247363.tif 000010